(57)【要約】【課題】ＥＰＧのデータ量を抑えながらより詳細な情報を利用者に提供できる再生装置等を提供する。【解決手段】ＴＶ受信機５は、放送局３から映像データ、音声データ、電子番組表データ及び番組に関連する情報を取得するための情報コードを取得し、利用者によって選択された情報コードを情報提供サーバ９に送信し、送信した情報コードに応じた情報を情報提供サーバ９から取得する。このため、ＴＶ受信機５は、放送局３から受信する映像データ及び音声データ以外のデータ量を抑えながら、利用者の要望に応じて様々な情報を提供することができる。【選択図】  図１
2004153673.tif 000002
【特許請求の範囲】
【請求項１】
番組を構成する映像データ及び音声データを受信し、再生手段により再生を行う再生装置であって、
電子番組表を構成する電子番組表データと、番組に関連する情報を取得するための情報コードとを受信する第１の受信手段と、
前記第１の受信手段が受信した前記電子番組表データに基づく電子番組表を出力する第１の出力手段と、
利用者の各種操作を受け付ける受付手段と、
前記第１の受信手段が受信した前記情報コードのうち、前記受付手段が受け付けた操作に基づいて特定された前記情報コードを情報提供サーバに送信する第１の送信手段と、
前記送信手段が送信した前記情報コードに対応する情報を前記情報提供サーバから受信する第２の受信手段と、
前記第２の受信手段が受信した前記情報を出力する第２の出力手段と、
を備えることを特徴とする再生装置。
【請求項２】
請求項１に記載の再生装置において、
更に、前記映像データ、前記音声データ、前記電子番組表データ及び前記情報コードを記録媒体に記録させると共に読み出しを行う記録読み出し手段を備え、
前記再生手段は、前記読み出し手段が読み出した前記映像データ及び前記音声データを再生し、
前記第１の出力手段は、前記読み出し手段が読み出した前記電子番組表データに基づく電子番組表を出力し、
前記第１の送信手段は、前記読み出し手段が読み出した前記情報コードのうち、前記受付手段が受け付けた操作に基づいて特定された前記情報コードを前記情報提供サーバに送信
することを特徴とする再生装置。
【請求項３】
請求項２に記載の再生装置において、
前記記録媒体は、交換可能な媒体であることを特徴とする再生装置。
【請求項４】
請求項１〜請求項３の何れかに記載の再生装置において、
更に、当該再生装置の利用者を識別するための利用者識別コードを記憶する記憶手段と、
前記記憶手段が記憶した前記利用者識別コードを蓄積サーバに送信する第２の送信手段とを備えることを特徴とする再生装置。
【請求項５】
請求項４に記載の再生装置において、
更に、再生した番組の履歴に関する情報及び、前記第１の送信手段を用いて送信させた前記情報コードの履歴に関する情報の少なくとも一方からなる履歴情報を記憶する履歴記憶手段を備え、
前記第２の送信手段は、前記履歴記憶手段に記憶された前記履歴情報を前記利用者識別コードと共に前記蓄積サーバに送信することを特徴とする再生装置。
【請求項６】
請求項１〜請求項５の何れかに記載の再生装置と通信を行う通信手段と、
電子番組表を構成する電子番組表データと、前記再生装置が番組に関連する情報を取得するための情報コードとを記憶する記憶手段と、
を備え、
前記通信手段は、前記記憶手段から前記電子番組表データと前記情報コードとを読み出して前記再生装置に送信することを特徴とする電子番組表提供サーバ。
【請求項７】
請求項１〜請求項５の何れかに記載の再生装置と通信を行う通信手段と、
番組に関連する情報を情報コードと対応づけて記憶する記憶手段と、
を備え、
前記通信手段は、前記再生装置から前記情報コードを受け取ると、その情報コードに対応する前記情報を前記記憶手段から読み出して前記再生装置に送信することを特徴とする情報提供サーバ。
【請求項８】
請求項４に記載の再生装置と通信を行う通信手段と、
前記通信手段が前記再生装置から取得した利用者識別コードを記憶する記憶手段と、
を備えることを特徴とする蓄積サーバ。
【請求項９】
請求項５に記載の再生装置と通信を行う通信手段と、
前記通信手段が前記再生装置から取得した前記利用者識別コードに加え、前記通信手段が前記再生装置から受け取った前記履歴情報を記憶することを特徴とする蓄積サーバ。
【請求項１０】
請求項１〜請求項５の何れかに記載の再生装置と、請求項６に記載の電子番組表提供サーバと、請求項７に記載の情報提供サーバとを組み合わせてなる情報システム。
【請求項１１】
請求項４に記載の再生装置と、請求項６に記載の電子番組表提供サーバと、請求項７に記載の情報提供サーバと、請求項８に記載の蓄積サーバとを組み合わせてなる情報システム。
【請求項１２】
請求項５に記載の再生装置と、請求項６に記載の電子番組表提供サーバと、請求項７に記載の情報提供サーバと、請求項９に記載の蓄積サーバとを組み合わせてなる情報システム。
【発明の詳細な説明】
【０００１】
【発明の属する技術分野】
番組を再生すると共に番組に関連する様々な情報を提供する再生装置等に関する。
【０００２】
【従来の技術】
従来、ＥＰＧ（電子番組表）と呼ばれる、放送チャンネル、放送日時、番組内容の要約等から構成される番組表をＴＶ画面上に映し出し、その映し出された番組表の中から利用者がＴＶ画面上で選択ならびに録画予約等をできるようになっている機能が知られている。このＥＰＧは、番組表を作るために必要なデータを映像データや音声データとともに多重化して放送局側から送信し、デジタル放送チューナなどでこの番組表に必要なデータを受信するとともに、この受信データに基づき番組表を作成してＴＶ画面上に映し出すようにして実現させている。このように、ＥＰＧによって提供される番組表は、放送局側から提供される片方向の情報から構成されており（例えば特許文献１参照）、番組表を作るために必要なデータを映像データや音声データとともに多重化して放送局側から送信する方法では、通信容量等の兼ね合いから提供される情報量が限られていた。
【０００３】
【特許文献１】
特許第２８３８８９２号公報（第３頁）
【０００４】
【発明が解決しようとする課題】
しかし、近年番組視聴者の嗜好が多様化したことや、番組視聴者がより詳細な番組情報を要望していることから、従来のＥＰＧによって提供される番組情報だけでは不足を来すようになった。
【０００５】
本発明はこのような問題に鑑み為されたものであり、ＥＰＧのデータ量を抑えながらより詳細な情報を利用者に提供できる再生装置等を提供することを目的とする。
【０００６】
【課題を解決するための手段及び発明の効果】
上記課題を解決するためになされた請求項１に記載の再生装置は、第１の受信手段が、電子番組表を構成する電子番組表データと番組に関連する情報を取得するための情報コードとを受信する。そして、第１の送信手段が、受信した情報コードのうち、受付手段が受け付けた操作に基づいて特定された情報コードを情報提供サーバに送信し、第２の受信手段が、送信した情報コードに対応する情報を情報提供サーバから受信し、受信した情報を第２の出力手段が出力する。
【０００７】
このような再生装置へ電子番組表を構成する情報等を提供するサーバとしては、請求項６に記載のような、電子番組表を構成する電子番組表データと情報コードとを記憶し、これらを再生装置に送信するよう構成された電子番組表提供サーバがよい。
【０００８】
また、情報コードに応じた情報を再生装置へ提供する情報提供サーバとしては、請求項７に記載のような、再生装置から情報コードを受け取ると、その情報コードに対応する番組に関連する情報を再生装置に送信するように構成された情報提供サーバがよい。
【０００９】
このような、再生装置と電子番組表提供サーバと情報提供サーバとを組み合わせれば、再生装置が電子番組表提供サーバから受信するデータ量を抑えながら利用者の要望に応じて様々な情報を提供することができる。なぜデータ量を抑えることができるかというと、情報コードは番組に関連する情報そのもの（例えば番組内容を表すテキストデータ）に比べてデータ量が小さくすることができるためである。
【００１０】
ところで、再生装置は映像データ及び音声データを受信し、受信すると同時に再生するようになっていてもよいが、請求項２に記載のように、更に、映像データ、音声データ、電子番組表データ及び情報コードを記録媒体に記録する記録制御手段を備えるようになっていてもよい。そして、記録媒体に記録したこれらのデータを読み出して利用できるように構成されているとよい。
【００１１】
このようになっていると、番組放送後、利用者が視聴したいときに番組を視聴することができ、さらに、番組に関連する情報も取得することができるため、利用者の使い勝手が向上する。
また、請求項３に記載のように、記録媒体は、交換可能な媒体であるとよい。具体的な媒体例として、ＤＶＤ−Ｒ、ＤＶＤ−ＲＡＭ、ビデオテープ、メモリカード、交換可能なハードディスク等が考えられる。
【００１２】
このようになっていると、記録した再生装置とは異なる再生装置で番組の視聴及び情報コードを利用した情報の取得を行うことができ、利用者の使い勝手が向上する。
また、請求項４に記載のように、更に、当該再生装置の利用者を識別するための利用者識別コードを記憶する記憶手段と、記憶手段が記憶した利用者識別コードを蓄積サーバに送信する第２の送信手段とを備えているとよい。尚、第２の送信手段を実現する際に使用する通信媒体としては、例えばインターネットのような安価にデータを送信できる通信媒体が適している。ただし、プライバシーに配慮するため、例えばＳＳＬのような何らかの暗号化機能を用いて第２の送信手段は利用者識別コードを送信することが望ましい。
【００１３】
また、このような再生装置が送信する利用者識別コードを受信するサーバとしては、請求項８に記載のような、請求項４に記載の再生装置と通信を行う通信手段と、その通信手段が再生装置から取得した利用者識別コードを記憶する記憶手段とを備えた蓄積サーバであるとよい。
【００１４】
このようになっていると、蓄積サーバは利用者に関する情報を管理することが可能になり、その情報を利用してペイパービューサービス等の利用者の管理が必要な種々のサービスを実現させることも可能になる
尚、再生装置が蓄積サーバに送信する情報は利用者識別コードだけであってもよいが、請求項５に記載のように、再生した番組の履歴に関する情報及び、第１の送信手段を用いて送信させた情報コードの履歴に関する情報の少なくとも一方からなる履歴情報を記憶する記憶手段を備え、第２の送信手段が記憶手段に記憶された履歴情報を利用者識別コードと共に蓄積サーバに送信するようになっているとよい。
【００１５】
また、このような再生装置から送信される利用者識別コードと履歴情報とを受信する蓄積サーバは、請求項９に記載のように、請求項５に記載の再生装置と通信を行う通信手段と、通信手段が再生装置から取得した利用者識別コードに加え、通信手段が再生装置から受け取った履歴情報を記憶するようになっているとよい。尚、ここでいう通信手段が再生装置から受け取った履歴情報というのは、請求項５に記載の再生装置の第２の送信手段が送信した、第１の出力手段が再生して出力した番組の履歴に関する情報や、第１の送信手段を用いて送信させた情報コードの履歴に関する情報を指す。
【００１６】
このようになっていると、蓄積サーバは利用者の視聴行動や利用者が取得した情報のデータを分析することが可能となり、これらの分析結果を利用することによって利用者の番組視聴傾向や情報取得傾向が把握でき、最適なターゲッティング広告の配信等のワン・トゥー・ワン・マーケティングが可能となる。尚、視聴率や情報取得率も把握できる。
【００１７】
ところで、請求項１０に記載のように、請求項１〜請求項５の何れかに記載の再生装置と、請求項６に記載の電子番組表提供サーバと、請求項７に記載の情報提供サーバとを組み合わせて情報システムを構成させてもよい。具体的には例えば、ＢＳデジタル放送局がＥＰＧデータと共に情報コードを送信し、それらを受信したＢＳデジタルテレビ受像機がインターネットを介してＷＷＷサーバに情報コードを送信して情報を取得するようなシステムが考えられる。この場合は、ＢＳデジタル放送局が電子番組表提供サーバに相当し、ＢＳデジタルテレビ受像機が再生装置に相当し、ＷＷＷサーバが情報提供サーバに相当する。
【００１８】
また、請求項１１に記載のように、請求項４に記載の再生装置と、請求項６に記載の電子番組提供サーバと、請求項７に記載の情報提供サーバと、請求項８に記載の蓄積サーバとを組み合わせて情報システムを構成させてもよい。具体的には例えば、上述した例に更に蓄積サーバとして機能するデータベースサーバを加えて実現させることが考えられる。データベースサーバであれば通常、様々な切り口で蓄積したデータを検索し、様々な粒度で集計して分析することが可能であるため、番組視聴傾向や情報取得傾向を多面的に把握することができる。
【００１９】
また、請求項１２に記載のように、請求項５に記載の再生装置と、請求項６に記載の電子番組提供サーバと、請求項７に記載の情報提供サーバと、請求項９に記載の蓄積サーバとを組み合わせて情報システムを構成してもよい。
【００２０】
【発明の実施の形態】
以下、本発明が適用された実施例について図面を用いて説明する。尚、本発明の実施の形態は、下記の実施例に何ら限定されることはなく、本発明の技術的範囲に属する限り種々の形態を採りうることは言うまでもない。
【００２１】
［第１実施例］
図１は、第１実施例の情報システムの概略構成を示すブロック図である。本実施例の情報システムは、放送局３、ＴＶ受信機５、インターネット７、情報提供サーバ９及び利用者管理サーバ１１を備える。
【００２２】
放送局３は、映像データ、音声データ、電子番組表データ及び番組に関連する情報を取得するための情報コードをＴＶ受信機５に送信する。この送信は、衛星放送システム、ＣＡＴＶシステム、地上波を用いたシステムの何れを用いるようになっていてもよい。このように、放送局３は、映像データ及び音声データを送信する機能に加え、特許請求の範囲に記載の電子番組表提供サーバの機能を果たす。
【００２３】
ここで電子番組表データ及び情報コードの構成例を図２に示す。図２（ａ）に示す電子番組表データ３１はチャンネル３１ａ、放送局３１ｂ、日時３１ｃ、ジャンル３１ｄ、タイトル３１ｅ及び内容３１ｆから構成される。実際のデータ例として図２（ａ）では、チャンネル３１ａとして「３ｃｈ」、放送局３１ｂとして「○○放送局」、日時３１ｃとして「２００２／１２／３１  １９：００〜２１：００」、ジャンル３１ｄとして「音楽」、タイトル３１ｅとして「２００２ベストヒット」、内容３１ｆとして「２００２年にヒットした５０曲をカウントダウン！」が示されている。
【００２４】
一方、図２（ｂ）に示す情報コード３３は、出演者３３ａ、出演者ＩＤ３３ｂ、曲名３３ｃ、曲名ＩＤ３３ｄ、商品３３ｅ、商品ＩＤ３３ｆ、スポンサー３３ｇ及びスポンサーＩＤ３３ｈから構成される。データ例として図２（ｂ）では、出演者３３ａとして「○○○○」、出演ＩＤ３３ｂとして「１２３４」、曲名３３ｃ、曲名ＩＤ３３ｄ、商品３３ｅ、商品ＩＤ３３ｆについては空欄、スポンサー３３ｇとして「△△△△株式会社」、スポンサーＩＤ３３ｈとして「５６７８」が示されている。
【００２５】
図１に戻り、ＴＶ受信機５は、放送局３から送信されてくる映像データ、音声データ及び電子番組表データを受信できるよう構成されており、利用者が図示しないリモートコントロールスイッチを操作することによって、番組の選択や電子番組表の表示等が行われるようになっている。また、ＴＶ受信機５はインターネット７に接続されており、インターネット７を介して情報提供サーバ９及び利用者管理サーバ１１と通信を行うことができる。また、ＴＶ受信機５は、識別コードを記憶している（特許請求の範囲に記載の利用者識別コードに相当する）。尚、図１ではＴＶ受信機５が１台しか描かれていないが、複数台存在してもよい。ただし、複数台存在する場合、各々のＴＶ受信機５は異なる識別コードを記憶している。尚、ＴＶ受信機５は、特許請求の範囲の再生装置に相当する。
【００２６】
情報提供サーバ９は、インターネット７に接続され、ＴＶ受信機５からの依頼に応じてタレント、商品、テーマソング、提供・協賛企業及びその他の情報を提供することができる。
利用者管理サーバ１１は、インターネット７に接続され、ＴＶ受信機５から送信されてくる識別コードを受信して蓄積することができる。この利用者管理サーバ１１は、特許請求の範囲の蓄積サーバに相当する。
【００２７】
次に、ＴＶ受信機５に表示される電子番組表について図３に示すイメージ図を用いて説明する。図３（ａ）に示す電子番組表例２１は、横軸がチャンネル、縦軸が時間となったマトリックス形式になっている。そして、電子番組表例２１はセルＡ〜Ｉまでの９つのセルから構成される。各セルには図３（ｂ）に示すセル例３３のような番組に関する情報が表示される。セル例３３は図２を用いて説明した電子番組表データ３１及び情報コード３３のデータを利用した場合を示している。具体的には、ジャンル「音楽」、タイトル「２００２ベストヒット」、内容「２００２年にヒットした５０曲をカウントダウン！」、出演者「○○○○」、スポンサー「△△△△株式会社」と表示されている。ただし、出演者とスポンサーには下線が付されて他と区別されており、利用者がリモートコントローラを用いてそれらを選択することにより、後述する情報取得処理を起動してより詳細な情報が表示される。
【００２８】
次に、ＴＶ受信機５で実行される情報取得処理について図４のフローチャートを用いて説明する。本処理は、前述した通り、電子番組表中の下線が付されたキーワードを選択することによって起動される。
まず、選択されたキーワードと対になるＩＤをＴＶ受信機５内に蓄積する。すでに蓄積済みのＩＤがある場合は、それらに加えて新たに蓄積する（Ｓ１００）。続いて、選択されたキーワードと対になるＩＤを情報提供サーバ９に送信し（Ｓ１１０）、情報提供サーバ９から送信したＩＤに対応する情報を取得するまで待機する（Ｓ１２０）。情報を取得すると取得した情報を画面に表示し（Ｓ１３０）、本処理を終了する。
【００２９】
画面表示例を図５に示す。画面表示例２５は、出演者ＩＤを情報提供サーバ９に送信した場合に得られる画面表示例である。出演者に関する情報（氏名、生年月日、星座、血液型、出身地）を示している。
次に、情報提供サーバ９で実行される情報送信処理について図６のフローチャートを用いて説明する。本処理は、ＴＶ受信機５から送信された前述したＩＤを受信すると起動される。起動されると、まず受信したＩＤに該当する情報を保持しているデータベースから検索する（Ｓ２００）。尚、更にＩＤが伝送されて情報提供サーバ９以外のサーバから検索されるようになっていてもよい。このようになっているとより多くの情報を提供することができる。情報の検索を完了すると、ＩＤを送信してきたＴＶ受信機５に対して検索した情報を送信する（Ｓ２１０）。送信を完了すると本処理を終了する。
【００３０】
次に、ＴＶ受信装置５で実行される利用者情報送信処理について図７のフローチャートを用いて説明する。本処理は、ＴＶ受信装置５で定期的に実行される。電源投入時や電源遮断直前に実行されるようになっていてもよい。本処理が開始されるとまず、蓄積しておいたＩＤを読み込む（Ｓ３００）。続いて、利用者識別コードと蓄積しておいたＩＤとを利用者管理サーバ１１に送信する（Ｓ３１０）。送信を完了すると、蓄積しておいた全てのＩＤを削除して（Ｓ３２０）、本処理を終了する。
【００３１】
次に、利用者管理サーバ１１で実行される利用者情報受信処理について図８のフローチャートを用いて説明する。本処理は、ＴＶ受信機５から識別コードとＩＤを受信した際に起動されて実行される。実行されると受信した識別コードとＩＤとをデータベースに蓄積し（Ｓ４００）、本処理を終了する。
【００３２】
これまで説明したように、本実施例の情報システムによれば、ＴＶ受信機５は、放送局３から受信する映像データ及び音声データ以外のデータ量を抑えながら、利用者の要望に応じて様々な情報を提供することができる。なぜデータ量を抑えることができるかというと、情報コード３３は番組に関連する情報そのもの（例えばテキストデータ）に比べてデータ量を小さくすることができるためである。
【００３３】
また、利用者管理サーバ１１は利用者に関する情報を管理することが可能になり、その情報を利用してペイパービューサービス等の利用者の管理が必要な種々のサービスを実現させることも可能になる。また、利用者管理サーバ１１は利用者の視聴行動や利用者が取得した情報のデータを分析することが可能となり、これらの分析結果を利用することによって利用者の番組視聴傾向や情報取得傾向が把握でき、最適なターゲッティング広告の配信等のワン・トゥー・ワン・マーケティングが可能となる。尚、視聴率や情報取得率も把握できる。
【００３４】
次に第２実施例を説明する。
［第２実施例］
第２実施例の情報システムは、第１実施例の情報システムと類似の構成をとるため、同一構成部分については第１実施例と同一の符号を付すことにより説明を省略する。尚、以下、相違点を中心に説明する。
【００３５】
第２実施例の情報システムは、図９のブロック図に示すように、放送局１７、ＰＣ１３、ＥＰＧサーバ１５、情報提供サーバ９及び利用者管理サーバ１１を備える。
放送局１７は、第１実施例の放送局３（図１参照）と異なり、映像データ及び音声データをＰＣ１３に送信する。送信は、衛星放送システム、ＣＡＴＶシステム、地上波を用いたシステムの何れを用いるようになっていてもよい。図９に示されるブロック図とは異なるが、インターネット７を経由して映像データ及び音声データが送信されるようになっていてもよい。
【００３６】
ＰＣ１３は、テレビ放送の受信及び再生機能を有するＰＣである。ＰＣ１３は特許請求の範囲の再生装置に相当する。第１実施例で説明したＴＶ受信機５が備える機能は全て備える。また、ＰＣ１３は、ＤＶＤ−Ｒディスク書き込み機能を備え、ＥＰＧサーバ１５から受信する電子番組表データ３１及び番組に関連する情報を取得するための情報コード３３を、映像データ及び音声データと共に、ＤＶＤ−Ｒディスクに記憶させることができる。また、ＤＶＤ−Ｒディスクから読み出した映像データ及び音声データの再生を行うこともできる。また、ＤＶＤ−Ｒディスクから読み出した情報コード３３に含まれるＩＤを情報提供サーバ９に送信して対応する情報を情報提供サーバ９から受信することもできる。尚、図９にはＰＣ１３は１台しか描かれていないが、複数台存在してもよい。
【００３７】
ＥＰＧサーバ１５は、ＰＣ１３からの依頼により電子番組表データ３１及び番組に関連する情報を取得するための情報コード３３をＰＣ１３に送信する。尚、ＥＰＧサーバ１５は、特許請求の範囲の電子番組表提供サーバに相当する。
情報提供サーバ９及び利用者管理サーバ１１の機能は第１実施例で説明したものと同じであるが、第１実施例では通信対象がＴＶ受信機５（図１参照）であったが、本実施例では、通信対象はＰＣ１３である。
【００３８】
本実施例の情報システムによれば、第１実施例で説明した効果に加え、映像データ、音声データ、電子番組表データ３１及び情報コード３３をＤＶＤ−Ｒに記憶しておくことができるため、番組放送後、利用者が視聴しいときに番組を視聴することができる。さらに、番組に関連する情報も取得することもできるため、利用者の使い勝手が向上する。そして、記録を行ったＰＣ１３とは異なるＰＣでも、ＤＶＤ−Ｒからデータを読み出すことによって記録したＰＣ１３と同様のことができ、利用者の使い勝手が向上する。
【００３９】
以下、他の実施例を説明する。
上記第１実施例及び第２実施例では、情報提供サーバ９と利用者管理サーバ１１は別々のサーバによって実現されていたが、１台のサーバによって実現されていてもよい。また、第２実施例では、情報提供サーバ９と利用者管理サーバ１１とＥＰＧサーバとは別々のサーバによって実現されていたが、１台のサーバによって実現されていてもよい。このようになっていても、同様の効果を得ることができる。
【図面の簡単な説明】
【図１】第１実施例の情報システムの概略構成を示すブロック図である。
【図２】電子番組表データ及び情報コードの構成例を示す説明図である。
【図３】電子番組表のイメージ図である。
【図４】情報取得処理を説明するためのフローチャートである。
【図５】取得した情報の画面表示例である。
【図６】情報送信処理を説明するためのフローチャートである。
【図７】利用者情報送信処理を説明するためのフローチャートである。
【図８】利用者情報受信処理を説明するためのフローチャートである。
【図９】第２実施例の情報システムの概略構成を示すブロック図である。
【符号の説明】
３…放送局、５…ＴＶ受信機、７…インターネット、９…情報提供サーバ、１１…利用者管理サーバ、１３…ＰＣ、１５…ＥＰＧサーバ、１７…放送局。
【図１】
2004153673.tif 000003
【図２】
2004153673.tif 000004
【図３】
2004153673.tif 000005
【図４】
2004153673.tif 000006
【図５】
2004153673.tif 000007
【図６】
2004153673.tif 000008
【図７】
2004153673.tif 000009
【図８】
2004153673.tif 000010
【図９】
2004153673.tif 000011